(57)【要約】【課題】高齢者や乳幼児の誤飲等を防止するための誤飲防止器具を提供せんとする。【解決手段】内部に人体に有害な内容物を収容させる容器と、この容器の口部にネジ着させたキャップとを有し、このキャップを前記容器に対して着脱することによって、前記内容物の取出し注入を行うことができるように成したものにおいて、前記キャップに被せて軸方向へ所定幅スライド可能、かつ軸中心に回転自在となるように設けた外キャップと、この外キャップと前記キャップとを互いに着脱可能に係合させる係合手段とから成り、前記係合手段は、前記キャップの外周に設けた溝部或は凸部と、前記外キャップの内周に設けた前記溝部或は凸部と着脱可能に係合する凸部或は溝部とで構成され、前記外キャップを前記キャップに対して軸方向へ相対移動させることによって、前記外キャップが前記キャップに対して被せられた状態で前記キャップと前記外キャップの係合・解離がなされるように成したことで解決した。【選択図】図１
2015081107.tif 000002
【特許請求の範囲】
【請求項１】
内部に人体に有害な内容物を収容させる容器と、この容器の口部にネジ着させたキャップとを有し、このキャップを前記容器に対して着脱することによって、前記内容物の取出し注入を行うことができるように成したものにおいて、前記キャップに当該キャップが外から見えないように被せて軸方向へ所定幅スライド可能、かつ軸中心に回転自在となるように設けた外キャップと、この外キャップと前記キャップとを互いに着脱可能に係止する係合手段とから成り、
前記係合手段は、前記キャップの外周に設けた溝部或は凸部と、前記外キャップの内周に設けた前記溝部或は凸部と着脱可能に係合する凸部或は溝部とで構成され、前記外キャップを前記キャップに対して軸方向へ相対移動させることによって、前記外キャップが前記キャップに対して被せられた状態で前記キャップと前記外キャップの係合・解離がなされるように成したことを特徴とする、誤飲防止器具。
【請求項２】
前記溝部の入口部分に、その入口幅を前記凸部の幅よりも僅かに狭くしたくびれ部を設けたことを特徴とする、請求項１に記載の誤飲防止器具。
【請求項３】
前記溝部が前記外キャップの側に設けられ、前記凸部が前記キャップの側に設けられた場合には、前記溝部は前記外キャップの内側の軸方向に設けられた第1溝部と、この第1溝部の頂部と連結して前記外キャップの内側周方向にエンドレス状に設けられた第２溝部とで構成したことを特徴とする、請求項１に記載の誤飲防止器具。
【請求項４】
前記第１溝部の上端部側に、その溝部の幅を前記凸部の幅よりも僅かに狭くしたくびれ部を設けたことを特徴とする、請求項３に記載の誤飲防止器具。
【請求項５】
前記容器はトリガー式の噴霧装置付きのスプレー容器であり、前記キャップには、その頂部に設けた取付孔を貫通係合して前記噴霧装置が回転自在に取り付けられており、前記外キャップの頂部には前記噴霧装置を弛挿させる挿通孔が設けられていることを特徴とする、請求項１ないし４のいずれか１項に記載の誤飲防止器具。
【請求項６】
請求項５に記載の誤飲防止器具において、前記キャップの内部に前記スプレー容器の口部と当接する第１段差部が設けられていることを特徴とする、誤飲防止器具。
【請求項７】
請求項５に記載の誤飲防止器具において、前記スプレー容器の口部と前記キャップとの間にパッキングが設けられており、このパッキングに前記噴霧装置のスプレーヘッドから垂下させた中空管を水密状態で挿通させるシール用筒部が設けられていることを特徴とする、誤飲防止器具。
【請求項８】
前記容器はプッシュ式の噴霧装置付きのスプレー容器であり、前記キャップには、その頂部に設けた取付孔を貫通しつつ当該キャップに軸方向へスライド可能に係合して前記噴霧装置が回転自在に取り付けられており、前記外キャップの頂部には前記噴霧装置を弛挿させる挿通孔が設けられていることを特徴とする、請求項１ないし４のいずれか１項に記載の誤飲防止器具。
【請求項９】
請求項１ないし８のいずれか１項に記載の誤飲防止器具を備えた容器。
【発明の詳細な説明】
【技術分野】
【０００１】
本発明は、認知症の人や乳幼児が、洗剤や消毒液、或はその他の薬品が入った容器の内容物を誤飲してしまう事故を防止するための誤飲防止器具と、これを備えた容器に関する。
【背景技術】
【０００２】
従来から、容器に入った洗剤、消毒液、薬品、化粧品、等々を誤飲する事故は多かったが、とくに最近は、病院や高齢者施設、或は在宅において認知症の人が、洗剤や消毒液の入った容器を空けて内容物を誤飲してしまう事故が多発している。
【０００３】
そして、最近はインフルエンザ、食中毒などの様々な感染症に伴う感染防止の必要から、様々な場所、施設において手指に吹きかけて消毒するための消毒液を入れたスプレー容器が用意されている。とくに認知症の患者や利用者が入院或は入所している病院や高齢者施設においては、このスプレー容器が多数用いられており、このスプレー容器のキャップを開けて中の消毒液を誤飲してしまう事故も多発している。
【０００４】
そこで、洗剤や消毒液、或はその他の薬品などを誤飲すると人体に危険な内容物が入った、とくに上記した各種容器においては、構造簡単で安価に製造できる誤飲防止器具が求められているところである。従来、これらの誤飲防止器具自体については、既に多くの形態のものが提案されており、例えば、下記特許文献１〜７に記載されたものが公知である。
【０００５】
特許文献１に記載の誤飲防止器具は、キャップと外キャップとから成り、両者の頂壁間に一方向クラッチ形式の複数の弾性係合片とこれに係合可能な係合受部とを設けると共に、両者の周壁間には、外キャップを前記弾性係合片の弾性力に抗して押し下げたときにのみ係合して両者間で回転力を伝達する係合部を設けたものであり、外キャップを押し下げることなく回転させると、キャップを締める方向に回転させる場合には回転力がキャップに伝達されてキャップが締められるが、キャップを緩める方向に回転させる場合には外キャップが空回りしてキャップを緩めることができないようになっている。キャップを緩めるためには、外キャップを押し下げた状態で回す必要があるため、これを知らない者はキャップを開けることができず、安全性が確保できるというものである。
【０００６】
しかしながら、この特許文献１に記載の誤飲防止器具は、外キャップを押し下げることなく強い力でキャップを締める方向に回転させると、前記弾性係合片が破損され易いという問題があった。
【０００７】
特許文献２に記載の安全蓋も、特許文献１に記載のものと同様に、内蓋と外蓋とから成り、両者の天面壁間に設けた凸部により、押し下げて操作したときにだけキャップを緩めることができるようになっているが、構造が複雑で、製造コストが嵩んだり、破損を生じ易いという問題があった。
【０００８】
特許文献３に記載のチャイルドプルーフキャップは、キャップの外周面に歯形を形成すると共に、外キャップの周壁の一部に、内面に前記歯形と噛み合う歯形を形成した弾性開栓操作部を設け、キャップを緩めるときには、この弾性開栓操作部を押えながら外キャップを回すようにしたものが開示されている。然しながら、前記弾性開栓操作部は外部に露呈しており、キャップを緩める操作も単純であるため、認知症の高齢者であってもその開け方を習得できる可能性が高く、安全性が充分ではないという問題があった。
【０００９】
特許文献４に記載の誤飲防止器具は、中栓部材と、内装キャップと、外装キャップと、シール用パッキングとを必要とし、部品点数が多く、製造コストが高くつくという問題があった。
【００１０】
特許文献５に記載のキャップは、外側キャップを内側キャップに押し付け可能なように保持する弾性シール材が、内側キャップの頂壁に明けた孔を通じて内側キャップの内部から外部まで突出し、外側キャップの頂壁内面と接するようになっているため、容器の内容物が液体であると、内側キャップと弾性シール材との隙間から外側キャップの内部まで浸入してゆく可能性があり、不衛生となったり、安全性に欠けるという問題があった。
【００１１】
内部に消毒液などを収容させたスプレー用の容器については、下記特許文献６と７に記載されているようなものが公知であるが、キャップを取り外して内容物を誤飲してしまうのを防止する工夫は成されていない。
【先行技術文献】
【特許文献】
【００１２】
【特許文献１】特公昭５２−２３３１１号公報
【特許文献２】特公平６−５４８号公報
【特許文献３】特開２００３−１０４４０８号公報
【特許文献４】特許第４８４４８０７号公報
【特許文献５】特許第４８８１６７０号公報
【特許文献６】特開２０１３−７８７６３号公報
【特許文献７】特開２００２−３５６５４号公報
【発明の概要】
【発明が解決しようとする課題】
【００１３】
本発明は、上記の如き問題点を解決するためなされたものであり、その目的とするところは、簡単な構造で、製造コストも安価であり、耐久性や安全効果にも優れたところの容器内に収容されている誤飲すると人体にとって危険な内容物の誤飲防止器具及びこれを備えた容器を提供せんとするにある。
【課題を解決するための手段】
【００１４】
上記課題を解決するために、本発明の誤飲防止器具は、内部に人体に有害な内容物を収容させる容器と、この容器の口部にネジ着させたキャップとを有し、このキャップを前記容器に対して着脱することによって、前記内容物の取出し注入を行うことができるように成したものにおいて、前記キャップに当該キャップが外から見えないように被せて軸方向へ所定幅スライド可能、かつ軸中心に回転自在となるように設けた外キャップと、この外キャップと前記キャップとを互いに着脱可能に係止する係合手段とから成り、前記係合手段は、前記キャップの外周に設けた溝部或は凸部と、前記外キャップの内周に設けた前記溝部或は凸部と着脱可能に係合する凸部或は溝部とで構成され、前記外キャップを前記キャップに対して軸方向へ相対移動させることによって、前記外キャップが前記キャップに対して被せられた状態で前記キャップと前記外キャップの係合・解離がなされるように成したことを特徴とする。
【００１５】
その際に本発明は、前記溝部の入口部分に、その入口幅を前記凸部の幅よりも僅かに狭くしたくびれ部を設けたことを特徴とする。
【００１６】
本発明はさらに、前記溝部が前記外キャップの側に設けられ、前記凸部が前記キャップの側に設けられた場合には、前記溝部は前記外キャップの内側の軸方向に設けられた第1溝部と、この第1溝部の頂部と連結して前記外キャップの内側周方向にエンドレス状に設けられた第２溝部とで構成したことを特徴とする。
【００１７】
その際に本発明は、前記第１溝部の上端部側に、その溝部の幅を前記凸部の幅よりも僅かに狭くしたくびれ部を設けたことを特徴とする。
【００１８】
本発明はまた、前記容器をトリガー式の噴霧装置付きのスプレー容器とし、前記キャップには、その頂部に設けた取付孔を貫通係合して前記噴霧装置が回転自在に取り付けられており、前記外キャップの頂部には前記噴霧装置を弛挿させる挿通孔が設けられていることを特徴とする。
【００１９】
前記トリガー式の噴霧装置付きのスプレー容器の誤飲防止器具において、前記キャップの内部に前記容器の口部と当接する第１段差部が設けられていることを特徴とする。
【００２０】
前記トリガー式の噴霧装置付きのスプレー容器の誤飲防止器具において、前記スプレー容器の口部と前記キャップとの間にパッキングが設けられており、このパッキングに前記噴霧装置のスプレーヘッドから垂下させた中空管を水密状態で挿通させるシール用筒部が設けられていることを特徴とする。
【００２１】
本発明はまた、前記容器はプッシュ式の噴霧装置付きのスプレー容器であり、前記キャップには、その頂部に設けた取付孔を貫通しつつ当該キャップに軸方向へスライド可能に係合して前記噴霧装置が回転自在に取り付けられており、前記外キャップの頂部には前記噴霧装置を弛挿させる挿通孔が設けられていることを特徴とする。
【００２２】
また、前記目的を達成するために、本発明は前記の如き構成を有する誤飲防止器具を備えた容器をも提供する。
【発明の効果】
【００２３】
本発明においては、容器の口部にネジ着されたキャップとこのキャップに被せられた外キャップとの間の係合手段を、キャップの外周に設けた溝部或は凸部と、外キャップの内周に設けられた溝部或は凸部と着脱可能に係合する凸部或は溝部とで構成し、外キャップをキャップに対して軸方向へ相対移動させることによって、外キャップがキャップに対して被せられた状態でキャップと外キャップの係合・解離がなされるように構成することにより、キャップの容器の口部に対する装着時は、外キャップとキャップとは係合状態にあって一体に回転して、キャップを容器の口部へ装着することは可能であるが、キャップを容器の口部へ装着後、前記外キャップを下方へ押し込むことによって、前記係合状態が解かれる。しかる後にあっては、例えば認知症の人が通常キャップを空けるように外キャップの回しても、空転するのみでキャップ自体は回転しないので、内容物を誤飲することを防ぐことができるものである。したがって、開け方の解らない認知症の人や乳幼児などに対して安全性が確保されると共に、開け方の解っている人は、外キャップを回しつつ上方へ引っ張って前記凸部と溝部を係合させることにより、外キャップとキャップが一体となって回され、容器の口部から取り外すことが可能となるものである。
【００２４】
上記の如き構成を有することにより、本発明は、簡単な構造で、製造コストも安価で、耐久性や安全効果にも優れた誤飲防止器具及びこれを備えた容器を提供し得る。
【図面の簡単な説明】
【００２５】
【図１】本発明に係る誤飲防止器具の実施例１の分解斜視図である。
【図２】実施例１における外キャップとキャップの一つの位置状態を示す斜視図である。
【図３】実施例１における外キャップとキャップのもう一つの位置状態を示す斜視図である。
【図４】実施例１における外キャップとキャップの更にもう一つの位置状態を示す斜視図である。
【図５】実施例１に係る誤飲防止器具の中心軸に沿った断面図である。
【図６】実施例１に係る誤飲防止器具を容器の口部にネジ着した状態を示す断面図である。
【図７】図６に示した状態から外キャップを押し下げた状態を示す断面図である。
【図８】本発明に係る誤飲防止器具の実施例２の分解斜視図である。
【図９】実施例２に係る誤飲防止器具を容器の口部にネジ着した状態を示す断面図である。
【図１０】図９に示した状態から外キャップを押し下げた状態を示す断面図である。
【図１１】本発明に係る誤飲防止器具の実施例３の分解斜視図である。
【図１２】実施例３に係る誤飲防止器具を容器の口部にネジ着した状態を示す断面図である。
【図１３】図１２に示した状態から外キャップを押し下げた状態を示す断面図である。
【図１４】本発明の実施例４に係る誤飲防止器具を容器の口部にネジ着した状態を示す断面図である。
【図１５】図１４に示した状態から外キャップを押し下げた状態を示す断面図である。
【発明を実施するための形態】
【００２６】
以下、図面を参照しつつ本発明の誤飲防止器具及びこの誤飲防止器具を備えた容器の好適な実施例について説明する。
【実施例１】
【００２７】
図面によれば図１から図７は、本発明の実施例１に係る誤飲防止器具１を示す。とくに図１、図６、図７等に示すように、容器２の口部２２にキャップと共に取り付けて使用するものであり、キャップ１２と外キャップ１１と係合手段１３とから構成されている。容器２の本体部２１には、洗剤、消毒液、薬品、化粧品、等々誤飲すると身体に危険な内容物（液体、粉体、粒体のものを含む）が収容される。この容器２の形態は、収容させる内容物や用途によってさまざまであり、とくに限定はない。後述する実施例３と４に示すところのスプレー容器をも含んでいる。
【００２８】
誤飲防止器具１のキャップ１２は、実施例１のものは、下端開口縁部１２ａに係合手段１３を構成する少なくとも１つの溝部１３ｂを設けたものであり、キャップ１２の内周面１２ｂに、キャップすべき容器２の口部２２の外周面の雄ネジ部２３と螺合する雌ネジ部１２ｃが形成されている。このキャップ１２は、外キャップ１１内に外からは見えないように収容され、外キャップ１１の内部で軸方向（図中、上下方向）に相対的に所定距離スライド可能なように構成され、かつ、外キャップ１１に対して軸中心に相対回転自在なように構成されている。言い換えると、キャップ１２が外から見えないように当該キャップ１２に被せられた外キャップ１１が、キャップ１２に対して上下方向へスライド可能かつ回転可能に取り付けられている。
【００２９】
また、前記外キャップ１１の下端開口縁部１１ａ近くの内周面１１ｂには、前記溝部１３ｂに係合し得る少なくとも１つの凸部１３ａが設けられている。尚、係合手段１３となる凸部１３ａ及び溝部１３ｂの数は、この実施例１の各１個ずつに限定されず、２個ずつ以上の複数であってもよい。
【００３０】
より具体的には、図示するように、外キャップ１１の深さは、キャップ１２の全高よりも充分に深く設定されており、キャップ１２に被せて当該外キャップ１１を軸方向の上下方向へスライドさせても、キャップ１２が外部から見えないように工夫されている。誤飲防止器具１の製造、組立て時には、外キャップ１１内にキャップ１２を収納した後、図６、図７に示す如く、例えば、外キャップ１１の周壁に設けた取付孔１３ｆに、フランジ部１３ｄを有するプラグ状の軸部１３ｃを差し込んで接着剤や、高周波溶着、或は超音波溶着等により固着することによって、軸部１３ｃの先端が外キャップ１１の内周面１１ｂに突出する凸部１３ａとなり、この凸部１３ａによって、キャップ１２の軸方向の移動距離が所定範囲に規制されると共に、キャップ１２が外キャップ１１から抜け落ちることがなく保持されるようになっている。
【００３１】
即ち、図２に示すように、キャップ１２が外キャップ１１の最奥部まで押し込まれた状態から、所定距離下方へ移動し、図３に示す位置まで達すると、キャップ１２の下端開口縁部１２ａが前記凸部１３ａに当接してキャップ１２のそれ以上の下降が阻止される。
【００３２】
また、キャップ１２が外キャップ１１内で更に下方へ相対移動し、図４に示すように、外キャップ１１の前記凸部１３ａがキャップ１２の溝部１３ｂ内に丁度嵌まり込んだような場合においても、キャップ１２のそれ以上の下降が阻止され、キャップ１２が外キャップ１１から抜け落ちることなく保持されるようになっている。また、図４に示した状態においては、前記凸部１３ａが溝部１３ｂ内に嵌まり込んで係合することによって、外キャップ１１とキャップ１２がロックされて、両者の相対回転（空回り）が阻止され、外キャップ１１を回すことによりキャップ１２も一緒に回って、キャップの雌ネジ部１２ｃが容器２の口部２２の雄ネジ部２３にネジ着されたり、外されたりすることが可能なようになっている。
【００３３】
尚、外キャップ１１の内周面１１ｂに設けられる凸部１３ａの数は、上述したように、必ずしも１個に限定されず複数でもよいが、本発明の目的を達成する上で通常は例えば１〜６個程度設けられる。一方、キャップ１２の下端開口縁部１２ａに形成される前記溝部１３ｂの数も、前記凸部１３ａと同数又はそれ以上設けられ、かつ、所定の回転位置において、すべての凸部１３ａがそれぞれに対応する溝部１３ｂ内へ同時に嵌まり込むように配置する必要がある。
【００３４】
また、必ずしも必須ではないが、外キャップ１１の前記凸部１３ａがキャップ１２の前記溝部１３ｂ内に嵌まり込んだときは、それを解除する外力を加えない限り、その嵌まり込んだ状態（図４の状態）が保持されるようにするために、図示する如く、前記溝部１３ｂの入口部分に、その入口幅を前記凸部１３ａの幅よりも僅かに狭くしたくびれ部１３ｅを形成することが望ましい。
【００３５】
また、このくびれ部１３eは、凸部１３ａと溝部１３ｂが解離された後、再び係合させるときに、少し力を加えないと係合がなされないので、誤飲防止器具１の仕組みの解らない認知症の人や乳幼児が、よりキャップ１２を開けにくくする効果もある。
【００３６】
以上ように構成された誤飲防止器具１を容器２に対し着脱する際の操作方法及び容器に装着された誤飲防止器具１による誤飲防止等の機能について、以下に説明する。
【００３７】
通常時は容器２に外キャップ１１と共にキャップ１２が被せられており、この状態において、図４に示すように、キャップ１２の雌ネジ部１２ｃが容器２の口部２２の雄ネジ部２３と螺合状態にあって、キャップ１２は外からは見えないようになっている。また、凸部１３ａと溝部１３ｂは互いに解離状態にあるので、通常のように外キャップ１１を回しても空転し、キャップ１２は回転することがないので、容器２を開けることはできない。
【００３８】
このような状態から、容器２内部の内容物を取り出し、或は再注入する場合には、図７の状態において外キャップ１１を上方向へ引っ張りながら、外キャップ１１をネジが緩む方向（通常は、誤飲防止器具１を上側から見て、反時計方向）へ捩じるようにする。このとき、最初のうちは、凸部１３ａが溝部１３ｂに嵌まっていないため、外キャップ１１は空回りするが、上記の如く外キャップ１１を上方向へ引っ張りながら回すことにより、凸部１３ａと溝部１３ｂの回転位置が一致したところで、上記の上方向への引っ張る力によって、凸部１３ａが溝部１３ｂ内に嵌まり込んで、外キャップ１１とキャップ１２とがロックされ（図４、図６の状態）、キャップ１２は外キャップ１１と一緒に回り始める。これによって、キャップ１２は容器２の雄ネジ部２３から外れ、誤飲防止器具１全体が容器２の口部２２から取り外される。この外キャップ１１を上方へ引っ張って凸部１３ａが溝部１３ｂの最深部に達した係合状態になった場合でも、キャップ１２は外キャップ１１よりはみ出ることなく、外部からは容易には見えない構成となっている。このことによって、認知症の人や乳幼児が、誤飲防止器具１の仕組みが外部から解らないようになっている。
【００３９】
誤飲防止器具１を取り外した状態から、容器２に再びキャップ１２を取り付ける場合には、キャップ１２を容器２の口部２２に被せ、外キャップ１１をネジが締まる方向（通常は、誤飲防止器具１を上側から見て、時計回り方向）に捩じるようにする。即ち、図４に示すように、外キャップ１１の前記凸部１３ａがキャップ１２の溝部１３ｂ内に嵌まり込んで、外キャップ１１とキャップ１２の相対回転（空回り）が阻止されている状態（ロック状態）において、外キャップ１１を回し、これと一緒にキャップ１２を回すことにより、キャップ１２の雌ネジ部１２ｃが容器２の口部２２の雄ネジ部２３にネジ着されるようにする。図６は、キャップ１２の雌ネジ部１２ｃと容器２の雄ネジ部２３とがしっかりと締められた状態を示している。このとき、外キャップ１１の凸部１３ａは、未だ、キャップ１２の溝部１３ｂ内に嵌まり込んだままの状態にある。
【００４０】
上記の如く、誤飲防止器具１のキャップ１２を容器２の口部２２にネジ着した後、外キャップ１１を上から押し下げて、図７に示す如く、外キャップ１１の内周面１１ｂの凸部１３ａがキャップ１２の溝部１３ｂから離脱するようにする。そうすることにより、外キャップ１１とキャップ１２のロック状態が解かれ、両者は相対回転可能な状態となる。そのため、外キャップ１１をどちら方向へ回しても外キャップ１１だけが空回りし、したがって、キャップ１２の雌ネジ部１２ｃと容器２の雄ネジ部２３とが緩むことはなく、誤飲防止器具１を容器２から取り外すことはできなくなる。
【００４１】
したがって、高齢者や乳幼児が誤飲防止器具１を取り外して、容器２の内容物を誤飲したりする事故を未然に防止することができる。
【００４２】
尚、誤飲防止器具１を容器２の口に取り付けるときに、必ずしも誤飲防止器具１の外キャップ１１とキャップ１２とが図４に示すようなロック状態にある必要はなく、図２や図３に示すような非ロック状態にあってもよい。このような非ロック状態にある場合には、誤飲防止器具１をその状態のままで容器２の口部２２に被せて、外キャップ１１をネジが締まる方向に数回回すようにする。このとき、外キャップ１１は空転状態ではあるが、摩擦力によってキャップ１２も外キャップ１１に追従して少しずつ回り、キャップ１１の雌ネジ部１２ｃと容器２の雄ネジ部２３とが或る程度締められた状態になる。その状態で、外キャップ１１を上方向に引き上げる力を加えながら、外キャップ１１を更に回すと、凸部１３ａと溝部１３ｂの位置が合致したとき、両者が嵌まり合って、外キャップ１１とキャップ１２とがロック状態となるので、更に続けて外キャップ１１をネジが締まる方向へ数回回すことにより、キャップ１２の雌ネジ部１２ｃと容器２の雄ネジ部２３とは、完全に締められた状態（図６）となる。最後に、前記と同様に外キャップ１１を押し下げ、キャップ１２と外キャップ１１のロックを解除することにより、キャップ１２は容器２の雄ネジ部２３に締められた状態のまま、外キャップ１１だけが空回りする状態となる。これによって、高齢者や乳幼児による誤飲事故等を未然に防止することができる。また、その状態でキャップ１２や係合手段１３を外から見ることはできないので、キャップの開け方を見破られることはなく、高い安全性が確保できる。
【００４３】
本発明に係る誤飲防止器具１は、内容物を入れた容器２に取り付けた状態で市場に供することができるほか、内容物なしの未使用の容器２と一緒にして安全容器として提供したり、誤飲防止器具１だけを単体で提供することも可能である。
【実施例２】
【００４４】
図８乃至図１０は、本発明に係る誤飲防止器具の他の実施例を示す。図面によればこの実施例２に係る誤飲防止器具２５は、とくに図８に示したように、溝部２６が外キャップ２７の側に設けられており、凸部２８ａが図９と図１０に示したようにキャップ２８の側に設けられている。この実施例２に係る溝部２６は、とくに図８に示したように、外キャップ２７の内側一端部に上下方向に設けられた第１溝部２６ａと、この第１溝部２６ａの頂部から周方向に互いに連通してエンドレス状に設けられた第２溝部２６ｂとから成り、第１溝部２６ａの上端部側にはくびれ部２６ｃが設けられている。また、第１溝部２６ａの下端部側は、閉塞状態であるが、解放状態であってもよい。さらに、第１溝部２６ａは１個だけのものを図示してあるが、１８０°間隔で２個或はそれ以上に設けることは任意に選択できる事項である。
【００４５】
凸部２８ａも図示したものは１個であり、キャップ２８の下端部側の側部に設けた取付孔２８ｂへピン状のものを接着或は溶着してあるが、キャップ２８から一体に突出させてもよい。この凸部２８ａは第１溝部２６ａと同じ数が設けられることが好ましいが、このものに限定されない。
【００４６】
この実施例２に係る誤飲防止器具２５は、容器２９の口部２９ａにキャップ２８を装着させた通常時の状態のときには、図１０に示したように、外キャップ２７の第２溝部２６ｂに凸部２８ａが係合している状態であり、外キャップ２７を回すと、凸部２８ａが第２溝部２６ｂの中を移動することから、キャップ２８は容器２９の口部２９ａに対して回転することはないので、キャップ２８は容器２９から取り外されることはない。
【００４７】
容器２９からキャップ２８を取り外す場合には、外キャップ２７を上方へ引っ張りつつ回転させると、凸部２８ａが第１溝部２６ａと合致した場合には、クリック感が手指へ伝わるので、外キャップ２７を上方へ引っ張ると、くびれ部２６ｃを介して凸部２８ａが第１溝部２６ａ内に嵌入し係合状態となる結果、外キャップ２７を反時計方向へ回転させると、キャップ２８も共に回転して容器２９の口部２９ａから取り外すことができるので、内容物の交換、再注入を行うことができる。
【００４８】
このようにして外キャップ２７と共に、容器２９から取り外したキャップ２８は、その凸部２８ａが第１溝部２６ａと係合状態にあるので、容器２９の口部２９ａに外キャップ２７と共に被せて外キャップ２７を時計方向へ回転させると、その雌ネジ部２８ｃが口部２９ａの雄ネジ部２９ｂへネジ着させることにより、再び容器２９の口部２９ａへの装着が可能となるものである。
【００４９】
このようにキャップ２８を容器２９の口部２９ａへ装着させた後は、図１０に示したように、キャップ２８を下方へ押すことにより、凸部２８ａが第２溝部２６ｂと係合状態となるので、好ましくは外キャップ２７を少し回転させておくと、凸部２８ａと第１溝部２６ａとの位置がずれることにより、容器２９の口部２９ａを開けようとして外キャップ２７を回しても、キャップ２８は回転することがないので、容器２９の口部２９ａを開けることができない。
【００５０】
このように本発明に係る誤飲防止器具２５による開け方の解らない、とくに認知症の人や乳幼児は、容器２９の口部２９ａを開けることができないので、内容物を誤飲する虞がなくなるか、その危険を大幅に減少させることができるものである。とくに認知症の人は、認知力が欠如してしまっているか、極めて弱いものとなっているので、過去のことは解るが新しいことはなかなか覚えられないことから、安全性が高くなるということができる。
【００５１】
溝部２６の第１溝部２６ａに設けたくびれ部２６ｃは、凸部２８ａと第１溝部２６ａが係合状態にある時に容易に両者の解離ができないようにする機能と、凸部２８ａが第２溝部２６ｂと係合状態にあるときには、容易に凸部２８ａが第１溝部２６ａが係合状態にならないようにする機能を営むことができるものであり、より誤飲に対する安全性が高まるものである。
【００５２】
尚、本実施例２に係る誤飲防止器具２５の場合にも、凸部２８ａが第１溝部２６ａや第２溝部２６ｂと係合状態にあるとき、キャップ２８は外キャップ２７に隠れて外部からは誤飲防止器具２５の仕組みが、とくに認知症の人や乳幼児には容易には解らないようになっている。
【実施例３】
【００５３】
図１１〜図１３には、本発明の実施例３に係る誤飲防止器具３０が示されている。この誤飲防止器具３０は、容器の一種であるスプレー容器４１の口部４２にネジ着したキャップ３２に装着して使用するものであり、外キャップ３１、キャップ３２、係合手段３３等を有することは前記実施例１と同様であるが、この実施例３ではトリガー式の噴霧装置３４がキャップ３２を介してスプレー容器４１に取り付けられている点が実施例１のものと相違している。さらにまた、本発明は安全性確保のため、この噴霧装置３４のスプレーヘッド３４ａを回転させても、スプレー容器４１の口部４２にネジ着されたキャップ３２が緩まないように工夫されている点にも特徴を有する。
【００５４】
即ち、このトリガー式の噴霧装置３４付きのものは、従来、スプレーヘッド取付部材３５に設けたフランジ部３５ｂが、キャップ３２を介してスプレー容器４１の口部４２に接続されているため、スプレーヘッド３４ａを水平方向へキャップ３２を取り外す方向（反時計方向）へ回転させると、摩擦力によりキャップ３２が同時に回転して緩んでしまうといった構成のものが多い。そこで本発明は、このような構成の噴霧装置３４付きのスプレー容器４１において、スプレーヘッド３４ａを水平方向へキャップ３２を取り外す方向（反時計方向）へ回転させても、スプレーヘッド３４ａと共に噴霧装置３４のみが回転し、キャップ３２は同時に回転しないようにした上で、水密状態でスプレー容器４１に接続することができるように構成したものである。
【００５５】
そこで、外キャップ３１、キャップ３２及び係合手段３３の構成について簡単に説明する。
【００５６】
実施例１の場合と同様に、誤飲防止器具３０のキャップ３２は、前記外キャップ３１内に収容されて外からは見えない構成であり、外キャップ３１の内部で軸方向（図中、上下方向）に所定距離スライド可能なように構成され、かつ、外キャップ３１に対して軸中心に相対回転自在なように構成されている。キャップ３２の内周面３２ｂには、スプレー容器４１の口部４２の外周面の雄ネジ部４３と螺合する雌ネジ部３２ｃが形成されている。
【００５７】
また、キャップ３２の下端開口縁部３２ａには、係合手段３３を構成する少なくとも１つの溝部３３ｂが形成され、他方、前記外キャップ３１の下端開口縁部３１ａ近くの内周面３１ｂには、前記溝部３３ｂに係合し得る少なくとも１つの凸部３３ａが設けられている。
【００５８】
外キャップ３１の深さは、キャップ３２の全高よりも充分に深く設定されており、製造、組立て時には、外キャップ３１内にキャップ３２を収納した後、図１２、図１３に示す如く、例えば、外キャップ３１の周壁に設けた取付孔３３ｆに、フランジ部３３ｄを有するプラグ状の軸部３３ｃを差し込んで接着剤や、高周波或は超音波溶着等により固着することによって、軸部３３ｃの先端が外キャップ３１の内周面３１ｂに突出する凸部３３ａとなり、この凸部３３ａによって、キャップ３２の軸方向の移動距離が所定範囲に規制されると共に、キャップ３２が外キャップ３１から抜け落ちることなく保持されるようになっている。尚、この凸部３３ａはキャップ３２と一体に設けてもよい。
【００５９】
図１２に示した状態においては、前記凸部３３ａが溝部３３ｂ内に嵌まり込んで係合することによって、外キャップ３１とキャップ３２がロックされて、両者の相対回転（空転）が阻止され、外キャップ３１を回すことによりキャップ３２も一緒に回って、キャップの雌ネジ部３２ｃがスプレー容器４１の口部４２の雄ネジ部４３にネジ着されたり、外されたりすることが可能なようになっている。
【００６０】
他方、図１３に示した状態においては、外キャップ３１が下方へ押し下げられ、前記凸部３３ａと溝部３３ｂとの係合が解かれることによって、前記係合ロック状態が解かれて、外キャップ３１を回しても空転し、安全性が確保されるようになっている。
【００６１】
尚、必ずしも必須ではないが、外キャップ３１の前記凸部３３ａがキャップ３２の前記溝部３３ｂ内に嵌まり込んだときは、それを解除する外力を加えない限り、その嵌まり込んだ状態が保持されるようにするために、図示する如く、溝部３３ｂの入口部分に、その入口幅を凸部３３ａの幅よりも僅かに狭くしたくびれ部３３ｅを形成することが望ましい。このくびれ部３３ｅは凸部３３ａと溝部３３ｂを再係合させる場合には、若干の困難性を伴わせるものであり、認知症の人や乳幼児にとって、より安全性が高まるものである。
【００６２】
このように構成された誤飲防止器具３０をスプレー容器４１に着脱する際の操作方法や、容器に装着された誤飲防止器具による誤飲防止等の機能については、実施例１の場合と同様であるので、それらの説明は省略する。
【００６３】
次に、噴霧装置３４の取付構造について説明する。噴霧装置３４は、スプレーヘッド３４ａ、支持筒部３４ｂ、ノズル３４ｃ、トリガー３４ｄ等を有し、前記支持筒部３４ｂにスプレーヘッド取付部材３５の胴部３５ａを挿入し、溶着若しくは接着することにより、スプレーヘッド３４ａがキャップ３２に対して回転自在に（したがってまた、外キャップ３１に対しても回転自在に）取り付けられるようになっている。
【００６４】
即ち、外キャップ３１とキャップ３２を前記の如く組み立てた後、スプレーヘッド取付部材３５の胴部３５ａを、キャップ３２の挿通孔３２ｇと外キャップ３１の挿通孔３１ｃに下から上へ向けて挿通し、その胴部３５ａの外側に噴霧装置３４の支持筒部３４ｂを被せた上で、両者を溶着若しくは接着することにより、キャップ３２に対して噴霧装置３４を、キャップ３２の軸（したがってまた、外キャップ３１やスプレーヘッド取付部材３５の軸）を中心に回転可能なように取り付ける。このとき、スプレーヘッド取付部材３５のフランジ部３５ｂは、図示する如く、キャップ３２の内周面３２ｂに形成された第２段差部３２ｆに当接し、噴霧装置３４の支持筒部３４ｂの下端面はキャップ３２の上壁の上面に当接した状態にあり、これにより、噴霧装置３４は、キャップ３２に対して軸中心に回転可能なように、且つ、軸方向には移動不可能なように取り付けられる。
【００６５】
スプレーヘッド取付部材３５の中空管３５ｃの下端には下側揚液チューブ３７ａが差し込まれ、中空管３５ｃの上端には上側揚液チューブ３７ｂが差し込まれる。尚、指示記号３５ｄのものは補強板である。下側揚液チューブ３７ａの下端には、異物除去用のキャップ３７ｃが取り付けられる。上側揚液チューブ３７ｂの上端は、噴霧装置３４のスプレーヘッド３４ａ内に収容された揚液ポンプ（図では省略）に接続され、トリガー３４ｄを操作することにより、当該揚液ポンプで吸い上げられたスプレー容器４１内の液が、ノズル３４ｃから噴射される。
【００６６】
尚、スプレーヘッド取付部材３５の中空管３５ｃの下端には、液漏れ防止用のパッキング３６が、そのシール用筒部３６ａに中空管３５ｃの下端部を挿通することにより、装着される。
【００６７】
更にまた、前記キャップ３２の内周面３２ｂには、スプレー容器４１の口部４２の追随回転防止手段３２ｄとしての第１段差部３２ｅを形成する。この第１段差部３２ｅと前記第２段差部３２ｆとの高低差は前記スプレーヘッド取付部材３５のフランジ部３５ｂの厚さ以下となるように設定し、前記フランジ部３５ｂの下面が前記第１段差部３２ｅよりも下方に突出しないようにする。
【００６８】
このように、追随回転防止手段３２ｄとしての第１段差部３２ｅを形成することにより、図９及び図１０に図示する如く、キャップ３２内にスプレー容器４１の口部４２を最終位置までねじ込んだ状態においても、口部４２の上端部は第１段差部３２ｅに阻止されてそれより上方へ進出することはなく、そのため、スプレー容器４１の口部４２の上昇により、スプレーヘッド取付部材３５のフランジ部３５ｂがキャップ３２の上壁に圧着されるなどして、噴霧装置３４がキャップ３２に対して自由に回転できなくなるのを防止する。したがって、この状態で噴霧装置３４はキャップ３２や外キャップ３１に対して自由に回転でき、これにより、噴霧装置３４を回転させてもキャップ３２や外キャップ３１が共に回転してしまうことがないので、噴霧装置３４を回転させることによって、キャップ３２が前記スプレー容器４１の口部４２より取り外されることはない。そのため、噴霧装置３４を回してスプレー容器４１を開け、内容物を飲もうとしてもスプレー容器４１を開けることはできず、誤飲事故等を防止できる。
【００６９】
パッキング３６の周縁部は、スプレー容器４１の口部４２により第１段差部３２ｅに圧着され、スプレー容器４１内の内容物が、当該スプレー容器４１の口部４２とキャップ３２との隙間を通じて容器外へ漏出するのを防止する。また、スプレーヘッド取付部材３５の中空管３５ｃとパッキング３６との接触部のシールは、パッキング３６に設けたシール用筒部３６ａによって確保される。必要に応じてこのシール用筒部３６ａを若干長くしたり、中空管３５ｃとの間に内容物に対して化学変化を起こさないグリス、例えばシリコングリスやテフロン（登録商標）を含有するグリスなどのフッ素系グリスを充填させることも一方法である。
【００７０】
尚、追随回転防止手段３２ｄとしては、前記第１段差部３２ｅを形成することに限定されず、例えば、前記キャップ３２の内周面３２ｂの雌ネジ部３２ｃと前記スプレー容器４１の口部４２の外周面の雄ネジ部４３との形成長さを短く限定し、スプレー容器４１の口部４２をこれらのネジの最終位置までねじ込んだとしても、口部４２の上端部もしくはパッキング３６が、前記スプレーヘッド取付部材３５のフランジ部３５ｂの下面の位置まで達しないように構成することによっても、噴霧装置３４とキャップ３２や外キャップ３１と間の自由回転が確保され、誤飲事故等を防止することができる。
【００７１】
また、本実施例３に係る誤飲防止器具３０の場合にも、凸部３３ａが溝部３３ｂと係合或は解離状態にあるとき、キャップ３２は外キャップ３１に隠れて外部からは見えにくく、誤飲防止器具３０の仕組みが、とくに認知症の人や乳幼児には容易には解らないようになっている。そして、誤飲防止器具３０の構成を実施例２のように構成することもできる。
【実施例４】
【００７２】
図１４乃至図１５は、さらに本発明に係る誤飲防止器具の他の実施例を示す。この実施例４に係る誤飲防止器具４５は、プッシュ式の噴霧装置付きのスプレー容器４６に対するものである。噴霧装置４７の構成は、公知構成のものであるので具体的な構成の図示と説明を省略するが、要するにこの実施例４の噴霧装置４７は、スプレー容器４６に取り付けられるキャップ４８に対して回転可能、かつ上下方向へスライド可能に取り付けられている。
【００７３】
この実施例４に係る誤飲防止器具４５について説明すると、この誤飲防止器具４５は、実施例３と同じように、プッシュ式の噴霧装置４７の容器の一種であるスプレー容器４６の口部４６ａにネジ着したキャップ４８に装着して使用するものであり、このキャップ４８、外キャップ４９、係合手段５０等を有することは前記実施例３と同様である。このプッシュ式の噴霧装置４７については、もともとキャップ４８に対して回転及び上下方向へスライド自在に構成されているので、実施例３の場合のように、キャップ４８に追随回転防止手段を設けなくともよいケースがほとんどである。
【００７４】
この実施例４に係る誤飲防止器具４５も、キャップ４８と外キャップ４９に噴霧装置４７を挿通させる挿通孔４８ａと４９ａが設けられている点では、実施例３のものと同じである。即ち、実施例３の場合と同様に、誤飲防止器具４５のキャップ４８は、前記外キャップ４９内に収容され、外キャップ４９の内部で軸方向（図中、上下方向）に所定距離スライド可能なように構成されており、かつ、外キャップ４９に対して軸中心に相対回転自在なように構成されている。キャップ４８の内周面４８ｂには、スプレー容器４６の口部４６ａの外周面の雄ネジ部４６ｂと螺合する雌ネジ部４８ｃが形成されている。
【００７５】
また、キャップ４８の下端開口縁部には、係合手段５０を構成する少なくとも１つの溝部５１が形成され、他方、前記外キャップ４９の下端開口縁部近くの内周面４９ｃには、前記溝部５１に係合し得る少なくとも１つの凸部５２が設けられている。
【００７６】
外キャップ４９の深さは、キャップ４８の全高よりも充分に深く設定されて、キャップ４８は外キャップ４９の中に隠されており、製造、組立て時には、外キャップ４９内にキャップ４８を収納した後、図１４、図１５に示す如く、例えば、外キャップ４９の周壁に明けた取付孔４９ｂに、フランジ部５２ａを有するプラグ状の軸部５２ｂを差し込んで接着剤や、高周波或は超音波溶着等により固着することによって、軸部５２ｂの先端が外キャップ４９の内周面４９ｃに突出する凸部５２なり、この凸部５２によって、キャップ４８の軸方向の移動距離が所定範囲に規制されると共に、キャップ４８が外キャップ４９から抜け落ちることなく保持されるようになっている。
【００７７】
図１４に示した状態においては、前記凸部５２が溝部５１内に嵌まり込んで係合することによって、外キャップ４９とキャップ４８がロックされて、両者の相対回転（空転）が阻止され、外キャップ４９を回すことによりキャップ４８も一緒に回って、当該キャップ４８の雌ネジ部４８ｃがスプレー容器４６の口部４６ａの雄ネジ部４６ｂにネジ着されたり、外されたりすることが可能なようになっている。
【００７８】
他方、図１５に示した状態においては、外キャップ４９が下方へ押し下げられ、前記凸部５２と溝部５１との係合が解かれることによって、前記係合ロック状態が解かれて、外キャップ４９を回しても空転し、安全性が確保されるようになっている。
【００７９】
尚、必ずしも必須ではないが、外キャップ４９の前記凸部５２がキャップ４８の前記溝部５１内に嵌まり込んだときは、それを解除する外力を加えない限り、その嵌まり込んだ状態が保持されるようにするために、図示する如く、前記溝部５１の入口部分に、その入口幅を前記凸部５２の幅よりも僅かに狭くしたくびれ部５１ａを形成することが望ましい。
【００８０】
このように構成された誤飲防止器具４５をスプレー容器４６に着脱する際の操作方法や、容器に装着された誤飲防止器具４５による誤飲防止等の機能については、実施例３の場合と同様であるので、それらの説明は省略する。
【００８１】
尚、本実施例４に係る誤飲防止器具４５の場合にも、凸部５２が溝部５１と係合或は解離状態にあるとき、キャップ４８は外キャップ４９に隠れて外部からは見えにくいことから、誤飲防止器具４５の仕組みが、とくに認知症の人や乳幼児には容易には解らないようになっている。また、誤飲防止器具４５の構成を実施例２のように構成することもできる。
【００８２】
そういう意味においては、いずれの実施例においてもキャップと外キャップの材質や色が異なる場合には、凸部の材質と色を溝部を設けた側の色と材質に合わせることが、誤飲防止器具の仕組みを分かりにくくする意味で好ましい。
【００８３】
さらに、上記実施例１〜４に係る誤飲防止器具は、内容物を入れた容器やスプレー容器に取り付けた状態で市場に提供することができるほか、内容物なしの未使用の容器或はスプレー容器と一緒にして安全容器として提供したり、誤飲防止器具だけを単体で提供することも可能である。
【００８４】
本発明の構成は前記実施例に限定されるものではなく、例えば下記のような変更実施例も可能である。
（１）実施例１において、外キャップの頂壁に指先もしくは鉛筆等が入る程度の孔を明けておき、キャップが図２に示すような非ロック状態にあるときに、前記孔から指等を入れて、キャップを押し下げ、図４に示すようなロック状態にした上で、誤飲防止器具の容器への取付け作業を行なえるようにしてもよい。
（２）凸部や溝部の形状や大きさも適宜変更可能である。
（３）凸部の形成方法も各種の方法が可能である。例えば、外キャップを、筒抜けの円筒状の部材と、頂壁板との２部材で構成し、凸部はこの筒抜け円筒状の部材の内周面に一体的に成形しておき、組立て時には、キャップを前記筒抜け円筒状の部材の頂部側から収納した後、前記頂壁板を筒抜け円筒状の部材の頂部に接着等により取り付けるようにしてもよい。
（４）外キャップに各種装飾模様や装飾形状を施すことも可能である。
（５）実施例３において、キャップに対するスプレーヘッドの取付手段も、図示したスプレーヘッド取付部材のような形態のもの以外のものを用いることも可能である。
（６）そして、以上は本発明の変更実施例の数例に過ぎず、これら以外にも各種の変更例が可能である。したがって、本発明はその要旨を逸脱しない範囲内における各種の変更実施例を広く包摂するものである。
【産業上の利用可能性】
【００８５】
本発明は以上の如く構成したため、本発明によるときは、内部に人体に危険は内容物を収容した容器、或は噴霧装置付きのスプレー容器の当該内容物を、認知症の人や乳幼児などが誤飲することを防止できる、簡単な構造で、製造コストも安価で、耐久性や安全効果にも優れた誤飲防止器具及びこれを備えた容器を提供し得るものである。
【符号の説明】
【００８６】
１        誤飲防止器具
１１      外キャップ
１１ａ    下端開口縁部
１１ｂ    内周面
１２      キャップ
１２ａ    下端開口縁部
１２ｂ    内周面
１２ｃ    雌ネジ部
１３      係合手段
１３ａ    凸部
１３ｂ    溝部
１３ｃ    軸部
１３ｄ    フランジ部
１３ｅ    くびれ部
１３ｆ    取付孔
２        容器
２１      本体部
２２      口部
２３      雄ネジ部
３０      誤飲防止器具
３１      外キャップ
３１ａ    下端開口縁部
３１ｂ    内周面
３１ｃ    挿通孔
３２      キャップ
３２ａ    下端開口縁部
３２ｂ    内周面
３２ｃ    雌ネジ
３２ｄ    追随回転防止手段
３２ｅ    第１段差部
３２ｆ    第２段差部
３２ｇ    挿通孔
３３      係合手段
３３ａ    凸部
３３ｂ    溝部
３３ｃ    軸部
３３ｄ    フランジ部
３３ｅ    くびれ部
３３ｆ    取付孔
３４      噴霧装置
３４ａ    スプレーヘッド
３４ｂ    支持筒部
３４ｃ    ノズル
３４ｄ    トリガー
３５      スプレーヘッド取付部材
３５ａ    胴部
３５ｂ    フランジ部
３５ｃ    中空管
３５ｄ    補強板
３６      パッキング
３６ａ    シール用筒部
３７ａ    下側揚液チューブ
３７ｂ    上側揚液チューブ
３７ｃ    キャップ
４０        容器
４１      スプレー容器
４２      口部
４３      雄ネジ部
４５      誤飲防止器具
４６      スプレー容器
４６ａ    口部
４６ｂ    雄ネジ部
４７      噴霧装置
４８      キャップ
４８ａ    挿通孔
４８ｂ    内周面
４８ｃ    雌ネジ
４９      外キャップ
４９ａ    挿通孔
４９ｂ    取付孔
４９ｃ    内周面
５０      係合手段
５１      溝部
５１ａ    くびれ部
５２      凸部
５２ａ    フランジ部
５２ｂ    軸部
【図１】
2015081107.tif 000003
【図２】
2015081107.tif 000004
【図３】
2015081107.tif 000005
【図４】
2015081107.tif 000006
【図５】
2015081107.tif 000007
【図６】
2015081107.tif 000008
【図７】
2015081107.tif 000009
【図８】
2015081107.tif 000010
【図９】
2015081107.tif 000011
【図１０】
2015081107.tif 000012
【図１１】
2015081107.tif 000013
【図１２】
2015081107.tif 000014
【図１３】
2015081107.tif 000015
【図１４】
2015081107.tif 000016
【図１５】
2015081107.tif 000017